(57)【要約】【課題】保温性を備える合成樹脂製容器を提供する。【解決手段】内容物を収容する内容器１０と、内容器１０との間に空隙が形成されるように内容器１０が挿入される外容器２０とを備える容器１において、外容器２０の底部２２の中央部が容器内方に隆起してなる支持部２４を設けて、内容器１０の底部１４側が接地部２３から浮き上がった状態で支持するとともに、内容器１０と外容器２０との間に空気を封入する。【選択図】      図４
2020158150.tif 000002
【特許請求の範囲】
【請求項１】
内容物を収容する内容器と、前記内容器との間に空隙が形成されるように前記内容器が挿入される外容器とを備え、
前記外容器の底部の中央部が容器内方に隆起してなる支持部に、前記内容器の底部側が接地部から浮き上がった状態で支持されて、
前記内容器と前記外容器との間に空気が封入されたことを特徴とする合成樹脂製容器。
【請求項２】
前記内容器の底部が、中心側から外周側に向かう方向に沿って容器外方に膨出する突部を有し、
前記外容器の底部の中央部に隆起する前記支持部が、中心側から外周側に向かう方向に沿って容器外方に膨出して前記突部と係合可能な係合部を有する請求項１に記載の合成樹脂製容器。
【請求項３】
前記内容器と前記外容器とのそれぞれに、互いに篏合可能な篏合部が周方向に沿って設けられている請求項１又は２に記載の合成樹脂製容器。
【請求項４】
一端側が前記外容器の上端を超えて前記内容器と前記外容器とに密着するようにシュリンクラベルが装着された請求項１〜３のいずれか一項に記載の合成樹脂製容器。
【発明の詳細な説明】
【技術分野】
【０００１】
本発明は、合成樹脂製容器に関し、特に、保温性を備える合成樹脂製容器に関する。
【背景技術】
【０００２】
従来、ポリエチレンテレフタレートなどの熱可塑性樹脂を用いてプリフォームを形成し、次いで、このプリフォームを二軸延伸ブロー成形などによってボトル状に成形してなる合成樹脂製の容器が、各種飲料品、各種調味料等を内容物とする容器として広い分野で利用されている。
【０００３】
また、このような合成樹脂製容器にあっては、市場の要求に応えるべく各種機能を備えたものが提案されている。例えば、特許文献１には、ホットウォーマーによる加温販売に適した容器が提案されており、特許文献２には、内容物を充填、密封した状態で凍結させて使用することができる容器が提案されている。
【先行技術文献】
【特許文献】
【０００４】
【特許文献１】特開２００５−００８１５８号公報
【特許文献２】特開２００７−３２０６１２号公報
【発明の開示】
【発明が解決しようとする課題】
【０００５】
上記したもの以外にも各種機能を備える容器を利用することで、商品の付加価値を高める工夫が従前より種々なされてきているが、そのような事情に鑑みて、本発明者らは、保温性を備える合成樹脂製容器を提供するべく鋭意検討を重ねた結果、本発明を完成するに至った。
【課題を解決するための手段】
【０００６】
本発明に係る合成樹脂製容器は、内容物を収容する内容器と、前記内容器との間に空隙が形成されるように前記内容器が挿入される外容器とを備え、前記外容器の底部の中央部が容器内方に隆起してなる支持部に、前記内容器の底部側が接地部から浮き上がった状態で支持されて、前記内容器と前記外容器との間に空気が封入された構成としてある。
【発明の効果】
【０００７】
本発明によれば、保温性を備えた合成樹脂製容器を提供することができる。
【図面の簡単な説明】
【０００８】
【図１】本発明の第一実施形態に係る合成樹脂製容器の概略を示す斜視図である。
【図２】本発明の第一実施形態に係る合成樹脂製容器の概略を示す正面図である。
【図３】本発明の第一実施形態に係る合成樹脂製容器の概略を示す底面図である。
【図４】図２のＡ−Ａ端面図である。
【図５】本発明の第一実施形態に係る合成樹脂製容器が備える内容器の概略を示す正面図である。
【図６】本発明の第一実施形態に係る合成樹脂製容器が備える内容器の概略を示す斜視図である。
【図７】本発明の第一実施形態に係る合成樹脂製容器が備える外容器の概略を示す正面図である。
【図８】図７のＢ−Ｂ断面を斜視して示す断面斜視図である。
【図９】本発明の第二実施形態に係る合成樹脂製容器の概略を示す底面図である。
【図１０】本発明の第二実施形態に係る合成樹脂製容器の底部側から斜視した概略を示す斜視図である。
【図１１】本発明の第二実施形態に係る合成樹脂製容器が備える内容器の概略を示す底面図である。
【図１２】本発明の第二実施形態に係る合成樹脂製容器が備える内容器の概略を示す斜視図である。
【図１３】本発明の第二実施形態に係る合成樹脂製容器が備える外容器の概略を示す断面斜視図である。
【図１４】図９のＣ−Ｃ端面における要部拡大端面図である。
【図１５】本発明の第三実施形態に係る合成樹脂製容器の概略を示す斜視図である。
【図１６】本発明の第三実施形態に係る合成樹脂製容器の概略を示す正面図である。
【図１７】本発明の第三実施形態に係る合成樹脂製容器が備える内容器の概略を示す正面図である。
【図１８】本発明の第三実施形態に係る合成樹脂製容器が備える外容器の概略を示す要部切欠断面図である。
【発明を実施するための形態】
【０００９】
以下、本発明の好ましい実施形態について、図面を参照しつつ説明する。
【００１０】
［第一実施形態］
まず、本発明の第一実施形態について説明する。
図１は、本実施形態に係る合成樹脂製容器の概略を示す斜視図、図２は、同正面図、図３は、同底面図であり、図４は、図２のＡ−Ａ端面図である。
なお、図４では、切断面にあらわれる肉厚を省略している。
【００１１】
これらの図に示す容器１は、内容物を収容する内容器１０と、内容器１０との間に空隙が形成されるように内容器１０が挿入される外容器２０とを備えている（図４参照）。
【００１２】
容器１が備える内容器１０と外容器２０のそれぞれは、例えば、熱可塑性樹脂を使用して射出成形や圧縮成形などによりプリフォームを成形し、このプリフォームを二軸延伸ブロー成形などにより所定の形状に成形し、必要に応じて後加工を施すことによって作製することができる。
【００１３】
使用する熱可塑性樹脂としては、ブロー成形が可能な任意の樹脂を使用することができる。具体的には、ポリエチレンテレフタレート，ポリブチレンテレフタレート，ポリエチレンナフタレート，非晶ポリアリレート，ポリ乳酸，ポリエチレンフラノエート又はこれらの共重合体などの熱可塑性ポリエステル，これらの樹脂あるいは他の樹脂とブレンドされたものなどが好適である。特に、ポリエチレンテレフタレートなどのエチレンテレフタレート系熱可塑性ポリエステルが、好適に使用される。また、ポリカーボネート，アクリロニトリル樹脂，ポリプロピレン，プロピレン−エチレン共重合体，ポリエチレンなども使用することができる。
【００１４】
内容器１０は、口部１１、肩部１２、胴部１３、及び底部１４を備えており、全体が概ね円筒状となるように成形されている。
【００１５】
口部１１は、収容された内容物の注ぎ口となる部位である。かかる口部１１の開口端側の側面には、図示しない蓋体を螺着により取り付けるためのねじ山が設けられているが、蓋体の取り付け手段は螺着に限らず、打栓などによって取り付けるようにしてもよい。
このような口部１１の下端は、胴部１３に向かって円錐台状に拡径して口部１１と胴部１３との間をつなぐ肩部１２に連接している。
【００１６】
胴部１３は、内容器１０の高さ方向の大半を占める部位であり、上端が肩部１２に連接し、下端が底部１４に連接している。
また、底部１４の中央部には、容器内方に円錐台状に陥入してなる凹部１５が形成されている。
なお、図５は、内容器１０の正面図、図６は、内容器１０を底部１４側から斜視して示す斜視図である。
【００１７】
ここで、高さ方向とは、口部１１を上にして容器１を水平面に正立させたときに、水平面に直交する方向をいうものとし、この状態（図２に示す状態）で容器１の上下左右及び縦横の方向を規定するものとする。
【００１８】
このような内容器１０が挿入される外容器２０は、内容器１０の挿入口として上端が開口する胴部２１と、胴部２１の下端に連接する底部２２とを備えており、挿入された内容器１０との間に空隙が形成される大きさで、全体が概ね円筒状となるように成形されている。
【００１９】
そして、本実施形態にあっては、内容器１０を挿入したときに、外容器２０の胴部２１の上端が、内容器１０の胴部１３の上端に重なるか、又はそれよりも下方に位置するように、各部の寸法を適宜設計するとともに、外容器２０の胴部２１の上端側は、内容器１０の挿入を妨げることなく、内容器１０の胴部１３の外周面と密着するように絞り込まれている。
これによって、外容器２０内に内容器１０を挿入したときに、内容器１０と外容器２０との間に空気が封入されるようにしてある。その際、より多くの空気が封入されるように、外容器２０の胴部２１の上端は、内容器１０の胴部１３の上端に重なるか、又は可能な限り近接しているのが好ましい。
【００２０】
また、底部２２の周縁側には、容器１を水平面に正立させたときに、当該水平面に接地する接地部２３が設けられており、底部２２の中央部には、容器内方に隆起してなる支持部２４が設けられている。
図示する例において、支持部２４は、底部２２の中央部が容器内方に円錐台状に隆起してなるとともに、支持部２４の外周側には、中心側から外周側に向かう方向に沿って容器外方に膨出する八つの膨出部２５が放射状に配置されている。このような膨出部２５を支持部２４の外周側に放射状に配置することで、支持部２４を含む底部２２の剛性を高めることができるが、膨出部２５は必要に応じて省略してもよい。
なお、図７は、外容器２０の正面図であり、図８は、図７のＢ−Ｂ断面にあらわれる外容器２０の底部２２の容器内側を斜視して示している。
【００２１】
外容器２０の底部２２に、このような支持部２４を設けることで、外容器２０内に挿入された内容器１０は、その底部１４の中央部に形成された凹部１５の周縁に支持部２４が当接して、外容器２０と同軸となるように位置決めされるとともに、内容器１０の底部１４側が、接地部２３から浮き上がった状態で支持される（図４参照）。
【００２２】
以上のような本実施形態によれば、内容器１０と外容器２０との間に封入された空気が断熱層として機能するとともに、内容器１０の底部１４側が接地部２３から浮き上がった状態で支持されており、内容器１０に収容された内容物の接地部２３を介した外界との熱交換も抑制される。その結果、容器１は保温性を備えたものとすることができる。
なお、容器１が合成樹脂製であり、熱伝導性の低い材料が用いられていることも保温性に寄与している。
【００２３】
また、このような容器１を市場に供する際には、一端側が外容器２０の上端を超えて内容器１０と外容器２０とに密着するようにシュリンクラベルＬが装着されるようにするのが好ましい（図２参照）。このようにすることで、外容器２０内に挿入された内容器１０が、外容器２０から抜け難くなるようにすることができる。その際、シュリンクラベルＬの他端側は、外容器２０の胴部２１に対して縮径された底部２２に架かるようにするのが好ましい。
【００２４】
［第二実施形態］
次に、本発明の第二実施形態について説明する。
図９は、本実施形態に係る合成樹脂製容器の概略を示す底面図、図１０は、同斜視図であり、図１１は、本実施形態に係る合成樹脂製容器が備える内容器の概略を示す底面図、図１２は、同斜視図である。
【００２５】
これらの図にあらわれる、外容器２０の底部２２の構成と、内容器１０の底部１４の構成とにおいて、本実施形態は、前述した第一実施形態と異なっている。
以下、第一実施形態を説明するのに用いた図１（容器１の斜視図）、図２（容器1の正面図）、図５（内容器１０の正面図）、図7（外容器２０の正面図）を、それぞれ本実施形態における容器１の斜視図、容器1の正面図、内容器１０の正面図、外容器２０の正面図として流用しつつ、第一実施形態と異なる点を中心に本実施形態を説明する。
【００２６】
本実施形態において、内容器１０の底部１４は、中心側から外周側に向かう方向に沿って容器外方に膨出する突部１６を有している。
図１１は、内容器１０の底面図、図１２は、内容器１０を底部１４側から斜視して示す斜視図である。これらの図に示すように、本実施形態では、底部１４の中央部に形成された凹部１５内に、周方向に沿って等角度間隔で六つの突部１６が設けられている。
【００２７】
また、外容器２０の底部２２は、その中央部に隆起する支持部２４に、中心側から外周側に向かう方向に沿って容器外方に膨出して、内容器１０の底部１４に設けられた突部１６と係合可能な係合部２６を有している。
図９は、容器１の底面図、図１０は、容器１を底部２２側から斜視して示す斜視図であり、図１３は、図７のＢ−Ｂ断面に相当する断面にあらわれる、本実施形態における外容器２０の底部２２の容器内側を斜視して示している。これらの図に示すように、本実施形態では、支持部２４の外周側に、周方向に沿って等角度間隔で六つの係合部２６が設けられている。
【００２８】
このように、内容器１０の底部１４に突部１６を設けるとともに、かかる突部１６と係合可能な係合部２６を外容器２０の底部２２に設けることで、図１４に示すように、これらが互いに係合して、外容器２０内に挿入された内容器１０が、外容器２０内で軸回りに回転してしまうのを抑止することができる。その結果、特に、蓋体を螺着によって口部１１に取り付けた場合に、開栓時に内容器１０が供回りしてしまうのを抑止して、開栓操作を良好に行うことができる。
なお、図１４は、図９のＣ−Ｃ端面における底部１４，２２側を拡大して示す要部拡大端面図であり、図１４では、切断面にあらわれる肉厚を省略している。
【００２９】
本実施形態において、内容器１０の底部１４に突部１６を設けるとともに、かかる突部１６と係合可能な係合部２６を外容器２０の底部２２に設けるにあたり、その具体的な構成は、外容器２０内に挿入された内容器１０が、外容器２０内で軸回りに回転してしまうのを抑止することができることに加え、外容器２０と同軸となるように位置決めされるとともに、内容器１０の底部１４側を、接地部２３から浮き上がった状態で支持することができれば、図示する例には限定されない。
【００３０】
以上、本実施形態は、外容器２０の底部２２の構成と、内容器１０の底部１４の構成とにおいて、前述した第一実施形態と異なっているが、これ以外の構成は、前述した第一実施形態と共通するため、重複する説明は省略する。
【００３１】
［第三実施形態］
次に、本発明の第三実施形態について説明する。
図１５は、本実施形態に係る合成樹脂製容器の概略を示す斜視図、図１６は、同平面図であり、図１７は、本実施形態に係る合成樹脂製容器が備える内容器の概略を示す平面図、図１８は、本実施形態に係る合成樹脂製容器が備える外容器の概略を示す要部切欠断面図である。
なお、図１８では、切断面にあらわれる肉厚を省略している。
【００３２】
本実施形態が、前述した第一実施形態や第二実施形態と異なるのは、内容器１０と外容器２０とのそれぞれに、互いに篏合可能な篏合部１７，２７が周方向に沿って設けられている点にある。
【００３３】
本実施形態において、内容器１０の上端側には、篏合部１７として、周方向に沿って容器内方に膨出するようにして凹設された凹溝１７が設けられており（図１７参照）、外容器２０の上端側には、篏合部２７として、周方向に沿って容器内方に膨出するようにして凹設された凹溝２７が設けられている（図１８参照）。そして、これらが互いに篏合して、外容器２０内に挿入された内容器１０が、外容器２０から抜け難くなるようにしている。
【００３４】
このように、本実施形態にあっては、内容器１０と外容器２０とのそれぞれに、互いに篏合可能な篏合部１７，２７として、周方向に沿って凹溝１７，２７を凹設しているが、篏合部１７，２７の具体的な構成は、外容器２０内に挿入された内容器１０が、外容器２０から抜け難くなるようにすることができれば、図示する例には限定されない。例えば、特に図示しないが、容器外方に膨出するようにして凸設された凸条として、篏合部１７，２７を設けてもよい。さらに、篏合部１７，２７は、周方向に沿って連続的に設けずに、必要に応じて所定の間隔で断続的に設けるようにすることもできる。
【００３５】
以上、本実施形態は、内容器１０と外容器２０とのそれぞれに、互いに篏合可能な篏合部１７，２７が周方向に沿って設けられている点において、前述した第一実施形態や第二実施形態と異なっているが、これ以外の構成は、前述した第一実施形態や第二実施形態と共通するため、重複する説明は省略する。
【００３６】
以上、本発明について、好ましい実施形態を示して説明したが、本発明は、前述した実施形態にのみ限定されるものではなく、本発明の範囲で種々の変更実施が可能であることはいうまでもない。
【００３７】
例えば、前述した実施形態では、内容器１０と外容器２０を概ね円筒状に成形した例を示したが、これに限定されない。内容器１０と外容器２０のいずれか一方、又は両方を角筒状に成形してもよい。
また、前述した実施形態では、外容器２０内に内容器１０を挿入したときに、外容器２０の胴部２１の上端が、内容器１０の胴部１３の上端に重なるか、又はそれよりも下方に位置するようにした例を示したが、これに限定されない。外容器２０内に内容器１０を挿入することができれば、外容器２０の胴部２１の上端を、内容器１０の胴部１３の上端よりも上方に位置させることもできる。例えば、外容器２０の上端開口部を押し広げながら内容器１０を挿入できる範囲で、外容器２０の胴部２１の上端側を絞り込んで、外容器２０内に内容器１０を挿入したときに、外容器２０の胴部２１の上端側が、内容器１０の胴部１３に対して縮径された肩部１２に架かるようにしてもよい。このようにすることによっても、外容器２０内に挿入された内容器１０が、外容器２０から抜け難くなるようにすることができる。このような態様とする場合、外容器２０の胴部２１の上端側にスリットを設けるなどして、外容器２０の上端開口部を押し広げ易くするようにしてもよい。
【００３８】
要するに、本発明に係る合成樹脂製容器は、内容物を収容する内容器１０と、内容器１０との間に空隙が形成されるように内容器１０が挿入される外容器２０とを備え、外容器２０の底部２２の中央部が容器内方に隆起してなる支持部２４に、内容器１０の底部１４側が接地部２３から浮き上がった状態で支持されて、内容器１０と外容器２０との間に空気が封入されていれば、これ以外の細部の構成は、前述した実施形態に限定されることなく適宜変更することができる。
また、前述した実施形態で説明した細部の構成を適宜取捨選択して組み合わせることもできる。
【符号の説明】
【００３９】
１          容器
１０          内容器
１３          胴部
１４          底部
１６          突部
１７          凹溝（篏合部）
２０          外容器
２１          胴部
２２          底部
２３          接地部
２４          支持部
２６          係合部
２７          凹溝（篏合部）
Ｌ          シュリンクラベル
【図１】
2020158150.tif 000003
【図２】
2020158150.tif 000004
【図３】
2020158150.tif 000005
【図４】
2020158150.tif 000006
【図５】
2020158150.tif 000007
【図６】
2020158150.tif 000008
【図７】
2020158150.tif 000009
【図８】
2020158150.tif 000010
【図９】
2020158150.tif 000011
【図１０】
2020158150.tif 000012
【図１１】
2020158150.tif 000013
【図１２】
2020158150.tif 000014
【図１３】
2020158150.tif 000015
【図１４】
2020158150.tif 000016
【図１５】
2020158150.tif 000017
【図１６】
2020158150.tif 000018
【図１７】
2020158150.tif 000019
【図１８】
2020158150.tif 000020